(57)【要約】      （修正有）【課題】携帯電話または携帯電話ケースの一側面に装着される化粧品ケースを提供する。【解決手段】下面には接着面が具備され、上面の一サイド側には、化粧品が収納される収納空間１１が形成された下側部材１０、及び前記下側部材１０の上部に積層具備され、選択的に他側方向にスライディング移動され、下側部材１０の一サイド側に形成された収納空間１１を開閉する上側部材２０を含み、鏡２１が含まれたインナーケース４０が、携帯電話または携帯電話ケースの一側面に装着されて具備される。化粧品ケースの構成が単純であり、組み立て及び生産性が向上し、全体的な製品のサイズを大きくせずとも、鏡２１及び化粧品を具備することができ、製品のコンパクト化を具現することができる化粧品ケースである。【選択図】図１
2019088763.tif 000002
【特許請求の範囲】
【請求項１】
携帯電話及び携帯電話ケースの一側面に付着されるように、下面には、接着面が具備され、上面の一サイド側には、化粧品が収納される収納空間が形成された下側部材と、
前記下側部材の上部に積層具備され、選択的に、他側方向にスライディング移動され、前記下側部材の一サイド側に形成された収納空間を開閉する上側部材と、を含む化粧品ケース。
【請求項２】
前記上側部材は、
その上面に鏡が具備され、
その下面中央に、下向きに突出したニップルが形成され、
前記ニップルを基準に、左右に一定距離を置いて互いに平行に突出した１対のガイド片が形成されることを特徴とする請求項１に記載の化粧品ケース。
【請求項３】
前記下側部材は、
その上面の他サイド側中央に、長手方向に沿って形成され、前記ニップルが結合されながら、前記ニップルを長手方向に案内する結合長孔と、
前記結合長孔の内部に、長手方向終端に位置するように具備され、弾性で、前記ニップルの移動を抑制するスプリングと、
前記結合長孔を基準に、左右に互いに平行に形成され、前記ガイド片が対応する位置にそれぞれ結合される１対のガイド長孔と、が形成されることを特徴とする請求項２に記載の化粧品ケース。
【請求項４】
前記下側部材は、
前記下側部材のいずれか一側の周囲に沿って形成されながら、前記下側部材の長手方向を基準にして、前記下側部材の中心左右に、終端が回転自在に結合され、選択的に、終端を軸に、前記下側部材から外側に回転して携帯電話を支持するスタンドを含むことを特徴とする請求項１に記載の化粧品ケース。
【請求項５】
前記上側部材は、
その周辺に、選択的に、付着させて装飾するキャラクタ部材を含むことを特徴とする請求項１に記載の化粧品ケース。
【発明の詳細な説明】
【技術分野】
【０００１】
本発明は、化粧品ケースに係り、さらに詳細には、携帯電話または携帯電話ケースの一側面に装着され、携帯電話を飾ることはもとより、必要によっては、選択的にユーザに、鏡及び化粧品を提供する化粧品ケースに関する。
【背景技術】
【０００２】
一般的に、携帯電話を使用する女性の場合、携帯電話と共に、化粧品を別途にかばんに所持しなければならず、それにより、かばんの体積が大きくなるという問題点があるだけではなく、化粧を行うために、常時化粧品ケースが入っているかばんを持ち歩かねばならないという不都合があった。
【０００３】
前述のところのような問題点を解決するために、特許文献１、特許文献２のように、化粧品が収納された携帯電話ケースが提供された。
前述の従来技術である化粧品が具備された携帯電話は、複数個の収容溝を有する化粧品ケースと、前記化粧品ケースの収容溝に収容されている化粧品と、前記化粧品ケースの上面に沿って一定高さに延設され、本体を上下にスライディングさせるガイド部と、前記ガイド部に挿入され、上下にスライディングし、該化粧品ケースを開閉すると共に、通信を行う本体と、からなる。
【０００４】
また、従来技術である前記化粧品収納手段を有する携帯電話は、携帯電話の本体に、化粧品を収納する化粧品収納手段が設けられ、該化粧品収納手段は、本体に一体に、または分離自在に設けられ、本体に一体に設けられる場合、化粧品の入れ替えを可能にする入れ替え容器を有するようになる。
【０００５】
しかし、かような従来の化粧品携帯電話ケースは、化粧品がケース内の溝に充填されるために、個別的に交替が不可能であり、常時同一色相のみを提供されるために、他の色調化粧を行う場合、別途に化粧品を具備しなければならないという問題点がある。
【先行技術文献】
【特許文献】
【０００６】
【特許文献１】韓国登録実用新案公報２０−０４７４０６６号（化粧品が具備された携帯電話）
【特許文献２】韓国公開特許公報１０−２００９−００１４０９２号（化粧品収納手段を有する携帯電話）
【発明の概要】
【発明が解決しようとする課題】
【０００７】
本発明は、鏡が含まれた化粧品ケースが、携帯電話または携帯電話ケースの一側面に装着されて具備されるようにし、携帯電話と共に、化粧品や鏡を別途に携帯しなければならない不都合を解消することができ、化粧品ケースの構成が単純であり、組み立て及び生産性が向上し、組み立て生産による労働力の使用を最小化させることにより、製品の生産コストを顕著に抑えることができ、全体的な製品のサイズを大きくせずとも、鏡及び化粧品を具備することができ、製品のコンパクト化を具現することができる化粧品ケースを提供することをその目的とする。
【課題を解決するための手段】
【０００８】
本発明による化粧品ケースは、携帯電話の一側面に付着されるように、下面には、接着面が具備され、上面の一サイド側には、化粧品が収納される収納空間が形成された下側部材、及び前記下側部材の上部に積層具備され、選択的に他側方向にスライディング移動され、前記下側部材の一サイド側に形成された収納空間を開閉する上側部材を含む。
【０００９】
このとき、本発明による前記上側部材は、その上面に鏡が具備され、その下面中央に、下向きに突出したニップルが形成され、前記ニップルを基準に、左右に一定距離を置いて互いに平行に突出した１対のガイド片が形成する。
【００１０】
そして、本発明による前記下側部材は、その上面の他サイド側中央に、長手方向に沿って形成され、前記ニップルが結合されながら、前記ニップルを長手方向に案内する結合長孔と、前記結合長孔の内部に、長手方向終端に位置するように具備され、弾性で、前記ニップルの移動を抑制するスプリングと、前記結合長孔を基準に、左右に互いに平行に形成され、前記ガイド片が対応する位置にそれぞれ結合される１対のガイド長孔と、が形成される。
【００１１】
また、本発明による前記下側部材は、前記下側部材のいずれか一側の周囲に沿って形成されながら、前記下側部材の長手方向を基準にして、前記下側部材の中心左右に、終端が回転自在に結合され、選択的に、終端を軸に、前記下側部材から外側に回転して携帯電話を支持するスタンドを含んでもよい。
【００１２】
併せて、本発明による前記上側部材は、その周辺に、選択的に、付着させて装飾するキャラクタ部材を含んでもよい。
【発明の効果】
【００１３】
本発明の一実施形態による化粧品ケースは、次のような効果を有する。
【００１４】
第一に、鏡が含まれた化粧品ケースが、携帯電話または携帯電話ケースの一側面に装着されて具備されるようにして、携帯電話と共に、化粧品や鏡を別途に携帯しなければならない不都合を解消することができる効果を有する。
【００１５】
第二に、化粧品ケースの構成が単純であり、組み立て及び生産性が向上し、組み立て生産による労働力の使用を最小化させることにより、製品の生産コストを顕著に低減することができ、全体的な製品のサイズを大きくせずとも、鏡及び化粧品を具備することができ、製品のコンパクト化を具現することができる効果を有する。
【００１６】
第三に、化粧品を使用するときには、覆いである上側部材を軽く押す動作で、化粧品が収容された収納空間が開放されるので、化粧を迅速に便利に行うことができ、従来より利便性及び迅速性が向上する効果を有する。
【図面の簡単な説明】
【００１７】
【図１】本発明の一実施形態による化粧品ケースの構成を示した分解斜視図である。
【図２】本発明の一実施形態による化粧品ケースの作動状態を示した例示図である。
【図３】本発明の一実施形態による化粧品ケースのスタンドを利用する状態を示した例示図である。
【図４】本発明の一実施形態による化粧品ケースにキャラクタを具備した状態を示した例示図である。
【発明を実施するための形態】
【００１８】
以下、添付された図面を参照し、本発明による望ましい実施形態について詳細に説明する。それに先き立ち、本明細書、及び特許請求の範囲に使用された用語や単語は、一般的であったり辞書的な意味に限定して解釈されるものではなく、当該発明者は、自身の発明を最善の方法で説明するために、用語の概念を適切に定義することができるという原則に立脚し、本発明の技術的思想に符合する意味及び概念に解釈されるものとする。
【００１９】
従って、本明細書に記載された実施形態、及び図面に図示された構成は、本発明の最も望ましい実施形態に過ぎず、本発明の技術的思想を全て代弁するものではないので、本出願時点において、それらは、代替されたり均等であったりする変形例がありうるということを理解しなければならない。
【００２０】
本発明は、鏡が含まれた化粧品ケースが、携帯電話または携帯電話ケースの一側面に装着されて具備されるようにし、携帯電話と共に、化粧品や鏡を別途に携帯しなければならない不都合を解消することができる化粧品ケースに係わるものであり、図面を参照してさらに詳細に述べれば、次の通りである。
【００２１】
図１ないし図４を参照した本発明の一実施形態による化粧品ケースは、下側部材１０と、上側部材２０とが含まれるが、前記下側部材１０は、携帯電話の一側面に付着されるように、下面には、接着面が具備され、上面の一サイド側には、化粧品が収納される収納空間１１が形成される。
【００２２】
そして、前記上側部材２０は、前記下側部材１０の上部に積層具備され、選択的に、他側方向にスライディング移動され、前記下側部材１０の一サイド側に形成された収納空間１１を開閉する。
【００２３】
このとき、前記下側部材１０及び上側部材２０は、板状であり、本発明の一実施形態では、楕円形で記載するが、それに限定されるものではなく、多角形または円形など、多様な形状が適用され、前記下側部材１０の収納空間１１も、多様な形状が適用可能であり、前記収納空間１１には、アイシャドー、リップクローズなどの化粧品が収容されたインナーケース４０が収納される。
【００２４】
ここで、前記インナーケース４０の下面には、金属片が具備され、前記収納空間１１底面には、金属片と磁力で相応する磁性体が内蔵され、前記インナーケース４０を、収納空間１１に自由に着脱させることできるので、ユーザの好みによって、インナーケース４０の交替により、化粧品を交替させて使用することができる。
【００２５】
前述の本発明の一実施形態による下側部材１０及び上側部材２０について、さらに詳細に説明すれば、まず、全体的な形状が板状をなす前記上側部材２０は、その上面に鏡２１が具備され、ユーザが化粧を行いながら、前記鏡２１を介して自分を映し出すことができ、前記上側部材２０その下面中央には、円筒状のニップル２２が下向きに突設される。
【００２６】
そして、前記ニップル２２を基準に、前記ニップル２２の左右に一定距離を置き、１対のガイド片２３が互いに平行に突設され、前記上側部材２０は、その周辺に、選択的に、付着させて装飾するキャラクタ部材２４が含まれてもよい。
【００２７】
このとき、前記キャラクタ部材２４は、磁性体を利用して、選択的に、着脱されるか、あるいは嵌め込み突起と嵌め込み溝との組み合わせで、前記キャラクタ部材２４は、前記上側部材２０の一側に、選択的に、着脱される。
【００２８】
また、本発明の一実施形態においては、前記キャラクタ部材２４が、選択的に、付着されると説明するが、それに限定されるものではなく、前記上側部材２０の一側から、一体に延設されもする。
【００２９】
前述した構成の上側部材２０下部に位置する前記下側部材１０は、その上面の他サイド側中央に、結合長孔１２が長手方向に沿って形成され、前記上側部材２０のニップル２２が結合され、前記ニップル２２が結合長孔１２に沿って長手方向に案内される。
【００３０】
このとき、前記結合長孔１２の内部には、スプリング１３が具備されるが、前記スプリング１３は、その終端が、前記結合長孔１２の長手方向一側端と他側端とにそれぞれ位置するように具備され、自体弾性で、前記ニップル２２の移動を抑制する。
【００３１】
本発明の一実施形態においては、スプリング１３を「Ｖ」型スプリングに限定して記載するが、それに限定されるものではなく、多様な形態のスプリングが適用される。
【００３２】
「Ｖ」型のスプリングを適用した本発明の一実施形態について、図面を参照して説明すれば、前記スプリング１３は、「１」型に形成された前記結合長孔１２内部に、「〉」状に具備され、前記結合長孔１２に結合される前記上側部材２０のニップル２２が、「〉」状に具備された「Ｖ」型スプリング１３の弾性により、前記結合長孔１２の一側または他側の終端に位置し、このとき、「Ｖ」型スプリング１３は、中央に突出した突出部を境界に、前記ニップル２２が一側または他側の終端に移動するように弾性を提供する。
【００３３】
そして、前記結合長孔１２を基準に、前記結合長孔１２の左右には、１対のガイド長孔１４が互いに平行に形成され、前記上側部材２０のガイド片２３が対応する位置に、それぞれ結合されて案内される。
【００３４】
従って、ユーザは、化粧品が収納された前記下側部材１０の収納空間１１を開放するために、前記上側部材２０を他側方向に軽く押せば、前記上側部材２０のニップル２２が前記結合長孔１２に沿って他側方向に移動しながら「Ｖ」型スプリング１３の中央突出部を越えれば、前記「Ｖ」型スプリング１３の弾性により、ニップル２２が他側に押されながら、前記上側部材２０が他側方向端に押され、前記下側部材１０の一サイド側に形成された収納空間１１が開放される。
【００３５】
従って、ユーザは、前記上側部材２０の上面に具備された鏡２１を見ながら、開放された収納空間１１に収納された化粧品を利用して化粧を行うことができる。
【００３６】
また、ユーザが、前記下側部材１０の収納空間１１を閉鎖するときには、再び前記上側部材２０を一側方向に軽く押せば、前記上側部材２０のニップル２２が、前記結合長孔１２に沿って一側方向に移動しながら、「Ｖ」型スプリング１３の中央突出部を越えれば、前記「Ｖ」型スプリング１３の弾性により、ニップル２２が一側に押されながら、前記上側部材２０が一側方向端に押され、前記上側部材２０が、前記下側部材１０の上部に位置し、前記下側部材１０の一サイド側に形成された収納空間１１が閉鎖される。
【００３７】
併せて、前記下側部材１０は、前記下側部材１０のいずれか一側の周囲に沿ってスタンド３０が形成されるが、前記スタンド３０は、前記下側部材１０の周囲に沿って、「⊃」状に形成され、前記スタンド３０の両端は、前記下側部材１０の長手方向を基準にして、前記下側部材１０の中心左右に、終端が回転自在に結合される。
【００３８】
従って、前記スタンド３０は、選択的に、終端を軸に、前記下側部材１０から外側に回転し、携帯電話を支持し、このとき、前記スタンド３０の回転角度は、前記下側部材１０と直角をなすことが最も理想的である。
【００３９】
本発明は、図面に図示された実施形態を参照して説明されたが、それらは、例示的なものに過ぎず、本技術分野の当業者であるならば、それらから多様な変形、及び均等な他の実施形態が可能であるという点を理解するであろう。従って、本発明の真の技術的保護範囲は、特許請求の範囲の技術的思想によって決められるものである。
【産業上の利用可能性】
【００４０】
本発明の化粧品ケースは、例えば、アイデア融合商品関連の技術分野に効果的に適用可能である。
【符号の説明】
【００４１】
１０    下側部材
１１    収納空間
１２    結合長孔
１３    「Ｖ」型スプリング
１４    ガイド長孔
２０    上側部材
２１    鏡
２２    ニップル
２３    ガイド片
２４    キャラクタ部材
３０    スタンド
４０    インナーケース
【図１】
2019088763.tif 000003
【図２】
2019088763.tif 000004
【図３】
2019088763.tif 000005
【図４】
2019088763.tif 000006